(57)【要約】【課題】ＣＡを行っている移動局ＵＥのスループットを報告する。【解決手段】本発明に係る無線基地局ｅＮＢは、「Ｉｍｍｅｄｉａｔｅ  ＭＤＴ」の対象移動局ＵＥのスループットを測定するように構成されている測定部１２と、測定部１２によって測定された「Ｉｍｍｅｄｉａｔｅ  ＭＤＴ」の対象移動局ＵＥのスループットと共に、「Ｉｍｍｅｄｉａｔｅ  ＭＤＴ」の対象移動局ＵＥのＣＡに係る状態を管理するように構成されている管理部１３とを具備する。【選択図】図２
2014135597.tif 000002
【特許請求の範囲】
【請求項１】
ＭＤＴ（Ｍｉｎｉｍｉｓａｔｉｏｎ  ｏｆ  Ｄｒｉｖｅ  Ｔｅｓｔｓ）の対象移動局のスループットを測定するように構成されている測定部と、
前記測定部によって測定された前記対象移動局のスループットと共に、前記対象移動局のキャリアアグリゲーションに係る状態を管理するように構成されている管理部とを具備することを特徴とする無線基地局。
【請求項２】
前記管理部は、前記キャリアアグリゲーションに係る状態として、セカンダリセルの追加又は削除を行った際のログ情報を管理するように構成されていることを特徴とする請求項１に記載の無線基地局。
【請求項３】
前記管理部は、前記キャリアアグリゲーションに係る状態として、セカンダリセルのアクティブ化又は非アクティブ化を行った際のログ情報を管理するように構成されていることを特徴とする請求項１に記載の無線基地局。
【請求項４】
所定サーバに対して、前記対象移動局から取得したイベント情報及び無線品質と共に、前記管理部によって管理されている前記対象移動局のスループット及び前記対象移動局のキャリアアグリゲーションに係る状態を送信するように構成されている送信部を具備することを特徴とする請求項１乃至３のいずれか一項に記載の無線基地局。
【請求項５】
前記送信部は、前記所定サーバに対して、前記対象移動局の位置情報を更に送信するように構成されていることを特徴とする請求項４に記載の無線基地局。
【発明の詳細な説明】
【技術分野】
【０００１】
本発明は、無線基地局に関する。
【背景技術】
【０００２】
ＬＴＥ（Ｌｏｎｇ  Ｔｅｒｍ  Ｅｖｏｌｕｔｉｏｎ）方式のＲｅｌｅａｓｅ-１０において、ＣＡ（Ｃａｒｒｉｅｒ  Ａｇｇｒｅｇａｔｉｏｎ：キャリアアグリゲーション）が規定された。
【０００３】
かかるＣＡは、移動局ＵＥのデータのピークレートやスループットを向上するための技術であり、２つ以上のＣＣ（Ｃｏｍｐｏｎｅｎｔ  Ｃａｒｒｉｅｒ：コンポーネントキャリア）を用いて通信を行うことで実現される。
【０００４】
ＣＡを実現するためには、図３に示すように、無線基地局ｅＮＢが、移動局ＵＥに対して、ＲＲＣ（Ｒａｄｉｏ  Ｒｅｓｏｕｒｃｅ  Ｃｏｎｔｒｏｌ）レイヤにおいて、Ｓｃｅｌｌ（Ｓｅｃｏｎｄａｒｙ  ｃｅｌｌ：セカンダリセル）を追加するための設定（Ｃｏｎｆｉｇｕｒａｔｉｏｎ）を行った後、ＭＡＣ（Ｍｅｄｉａ  Ａｃｃｅｓｓ  Ｃｏｎｔｒｏｌ）レイヤにおいて、かかるＳｃｅｌｌ  をアクティブ化する、すなわち、「Ｓｃｅｌｌ  Ａｃｔｉｖａｔｉｏｎ」を行う必要がある。
【０００５】
その後、無線基地局ｅＮＢは、移動局ＵＥに対して、Ｓｃｅｌｌの変更や削除を行うための設定を行ったり、Ｓｃｅｌｌの非アクティブ化、すなわち、「Ｓｃｅｌｌ  Ｄｅａｃｔｉｖａｔｉｏｎ」を行ったりすることができる。
【０００６】
また、ＬＴＥ方式のＲｅｌｅａｓｅ-１０では、「ＭＤＴ（Ｍｉｎｉｍｉｓａｔｉｏｎ  ｏｆ  Ｄｒｉｖｅ  Ｔｅｓｔｓ、測定走行試験）」についても規定された。
【０００７】
かかるＭＤＴは、通信事業者（オペレータ）の走行試験を減らして、ＯＰＥＸ（Ｏｐｅｒａｔｉｏｎａｌ  Ｅｘｐｅｎｄｉｔｕｒｅ）やＣＡＰＥＸ（Ｃａｐｉｔａｌ  Ｅｘｐｅｎｄｉｔｕｒｅ）を向上するための技術である。
【０００８】
かかるＭＤＴは、特別な走行試験用の装置を使用することなく、移動局ＵＥがネットワークに対して無線品質の測定結果を報告することで実現される。
【０００９】
現状、ＭＤＴとしては、「Ｉｍｍｅｄｉａｔｅ  ＭＤＴ」及び「Ｌｏｇｇｅｄ  ＭＤＴ」の２種類が規定されている。
【００１０】
ここで、「Ｉｍｍｅｄｉａｔｅ  ＭＤＴ」は、移動局ＵＥが「ＲＲＣ_Ｃｏｎｎｅｃｔｅｄ状態」である際に行われるＭＤＴであり、図４に示すように、「Ｉｍｍｅｄｉａｔｅ  ＭＤＴ」を行うように設定されている移動局ＵＥは、無線基地局ｅＮＢに対して、リアルタイムで無線品質の測定結果を報告するように構成されている。
【００１１】
一方、「Ｌｏｇｇｅｄ  ＭＤＴ」は、移動局ＵＥが「ＲＲＣ_Ｉｄｌｅ状態」である際に行われるＭＤＴであり、図４に示すように、「Ｌｏｇｇｅｄ  ＭＤＴ」を行うように設定されている移動局ＵＥは、無線品質の測定結果を一旦ログとして保存し、「ＲＲＣ_Ｃｏｎｎｅｃｔｅｄ状態」に遷移するタイミングで、無線基地局ｅＮＢに対して、かかる無線品質の測定結果を報告するように構成されている。
【００１２】
なお、ＬＴＥ方式のＲｅｌｅａｓｅ-１１方式において、無線基地局ｅＮＢは、「Ｉｍｍｅｄｉａｔｅ  ＭＤＴ」の対象移動局ＵＥのスループットを測定してログとして管理するように規定された。
【先行技術文献】
【非特許文献】
【００１３】
【非特許文献１】３ＧＰＰ  ＴＳ３６.３００
【非特許文献２】３ＧＰＰ  ＴＳ３７.３２０
【非特許文献３】３ＧＰＰ  ＴＳ３６.３３１
【発明の概要】
【発明が解決しようとする課題】
【００１４】
しかしながら、従来のＭＤＴでは、通信事業者は、ＣＡを行っている移動局ＵＥのスループットについて確認することができないという問題点があった。
【００１５】
すなわち、無線基地局ｅＮＢは、ＴＣＥ（Ｔｒａｃｅ  Ｃｏｌｌｅｃｔｉｏｎ  Ｅｎｔｉｔｙ）に対して、ＣＡを行っていない移動局ＵＥのスループットと区別して、ＣＡを行っている移動局ＵＥのスループットを報告することができないという問題点があった。
【００１６】
そこで、本発明は、上述の課題に鑑みてなされたものであり、ＣＡを行っている移動局ＵＥのスループットを報告することができる無線基地局を提供することを目的とする。
【課題を解決するための手段】
【００１７】
本発明の第１の特徴は、無線基地局であって、ＭＤＴの対象移動局のスループットを測定するように構成されている測定部と、前記測定部によって測定された前記対象移動局のスループットと共に、前記対象移動局のキャリアアグリゲーションに係る状態を管理するように構成されている管理部とを具備することを要旨とする。
【発明の効果】
【００１８】
以上説明したように、本発明によれば、ＣＡを行っている移動局ＵＥのスループットを報告することができる無線基地局を提供することができる。
【図面の簡単な説明】
【００１９】
【図１】本発明の第１の実施形態に係る移動通信システムの全体構成図である。
【図２】本発明の第１の実施形態に係る無線基地局の機能ブロック図である。
【図３】従来技術を説明するための図である。
【図４】従来技術を説明するための図である。
【発明を実施するための形態】
【００２０】
（本発明の第１の実施形態に係る移動通信システム）
図１及び図２を参照して、本発明の第１の実施形態に係る移動通信システムについて説明する。
【００２１】
図１に示すように、本実施形態に係る移動通信システムは、ＭＤＴサーバであるＴＣＥ（Ｔｒａｃｅ  Ｃｏｌｌｅｃｔｉｏｎ  Ｅｎｔｉｔｙ）や、無線基地局ｅＮＢ等を具備している。
【００２２】
なお、本実施形態に係る移動通信システムでは、ＬＴＥのＲｅｌｅａｓｅ-１１方式において規定されている「Ｉｍｍｅｄｉａｔｅ  ＭＤＴ」や「Ｌｏｇｇｅｄ  ＭＤＴ」を実現することが可能である。
【００２３】
図１の例では、移動局ＵＥは、ＰＣＣ（Ｐｒｉｍａｒｙ  Ｃａｒｒｉｅｒ）のサービングセルであるＰｃｅｌｌ及びＳＣＣ（Ｓｅｃｏｎｄａｒｙ  Ｃａｒｒｉｅｒ）のサービングセルであるＳｃｅｌｌを用いてＣＡを行っているものとする。
【００２４】
また、図１の例では、移動局ＵＥは、「Ｉｍｍｅｄｉａｔｅ  ＭＤＴ」を行うように設定されているものとする。
【００２５】
図２に示すように、無線基地局ｅＮＢは、受信部１１と、測定部１２と、管理部１３と、送信部１４とを具備している。
【００２６】
受信部１１は、移動局ＵＥやＴＣＥから、各種信号を受信するように構成されている。
【００２７】
例えば、受信部１１は、移動局ＵＥから、Ｅｖｅｎｔ-Ａ１〜Ａ６/Ｂ１/Ｂ２が満たされたことを示す「Ｍｅａｓｕｒｅｍｅｎｔ  Ｒｅｐｏｒｔ」を受信するように構成されている。また、受信部１１は、移動局ＵＥの位置情報を取得するように構成されていてもよい。
【００２８】
測定部１２は、ＭＤＴ（具体的には、「Ｉｍｍｅｄｉａｔｅ  ＭＤＴ」）の対象移動局である移動局ＵＥのスループットを測定するように構成されている。
【００２９】
管理部１３は、測定部１２によって測定された対象移動局のスループットと共に、「Ｉｍｍｅｄｉａｔｅ  ＭＤＴ」の対象移動局のＣＡに係る状態を管理するように構成されている。
【００３０】
ここで、管理部１３は、上述のＣＡに係る状態として、Ｓｃｅｌｌの追加又は削除を行った際のログ情報を管理するように構成されていてもよい。
【００３１】
例えば、かかるログ情報には、Ｓｃｅｌｌの追加又は削除を行ったという事実や、Ｓｃｅｌｌの追加又は削除を行った時刻等が含まれていてもよい。
【００３２】
なお、無線基地局ｅＮＢは、「ＲＲＣＣｏｎｎｅｃｔｉｏｎＲｅｃｏｎｆｉｇｕｒａｔｉｏｎ」内の「Ｓｃｅｌｌ  Ａｄｄｉｔｉｏｎ」によって、Ｓｃｅｌｌの追加を行うように構成されており、「ＲＲＣＣｏｎｎｅｃｔｉｏｎＲｅｃｏｎｆｉｇｕｒａｔｉｏｎ」内の「Ｓｃｅｌｌ  Ｒｅｌｅａｓｅ」によって、Ｓｃｅｌｌの削除を行うように構成されている。
【００３３】
また、管理部１３は、上述のＣＡに係る状態として、Ｓｃｅｌｌのアクティブ化（Ｓｃｅｌｌ  ａｃｔｉｖａｔｉｏｎ）又は非アクティブ化（Ｓｃｅｌｌ  ｄｅａｃｔｉｖａｔｉｏｎ）を行った際のログ情報を管理するように構成されていてもよい。
【００３４】
例えば、かかるログ情報には、Ｓｃｅｌｌのアクティブ化及び非アクティブ化を行ったという事実や、Ｓｃｅｌｌのアクティブ化及び非アクティブ化を行った時刻等が含まれていてもよい。
【００３５】
なお、無線基地局ｅＮＢは、ＭＡＣレイヤにおいて、設定（ｃｏｎｆｉｇｕｒｅ）されているＳｃｅｌｌのアクティブ化及び非アクティブ化を行うように構成されている。
【００３６】
送信部１４は、移動局ＵＥやＴＣＥに対して、各種信号を送信するように構成されている。
【００３７】
例えば、送信部１４は、ＴＣＥに対して、「Ｉｍｍｅｄｉａｔｅ  ＭＤＴ」の対象移動局ＵＥから取得した「Ｅｖｅｎｔ-Ａ１〜Ａ６/Ｂ１/Ｂ２」及び「ＲＳＲＱ（Ｒｅｆｅｒｅｎｃｅ  Ｓｉｇｎａｌ  Ｒｅｃｅｉｖｅｄ  Ｑｕａｌｉｔｙ〜/ＲＳＲＰ（Ｒｅｆｅｒｅｎｃｅ  Ｓｉｇｎａｌ  Ｒｅｃｅｉｖｅｄ  Ｐｏｗｅｒ）」と共に、管理部１３によって管理されている「Ｉｍｍｅｄｉａｔｅ  ＭＤＴ」の対象移動局ＵＥのスループット及び「Ｉｍｍｅｄｉａｔｅ  ＭＤＴ」の対象移動局ＵＥのＣＡに係る状態を送信するように構成されている。
【００３８】
さらに、送信部１４は、ＴＣＥに対して、「Ｉｍｍｅｄｉａｔｅ  ＭＤＴ」の対象移動局ＵＥの位置情報を更に送信するように構成されていてもよい。
【００３９】
以上に述べた本実施形態の特徴は、以下のように表現されていてもよい。
【００４０】
本実施形態の第１の特徴は、無線基地局ｅＮＢであって、「Ｉｍｍｅｄｉａｔｅ  ＭＤＴ」の対象移動局ＵＥのスループットを測定するように構成されている測定部１２と、測定部１２によって測定された「Ｉｍｍｅｄｉａｔｅ  ＭＤＴ」の対象移動局ＵＥのスループットと共に、「Ｉｍｍｅｄｉａｔｅ  ＭＤＴ」の対象移動局ＵＥのＣＡに係る状態を管理するように構成されている管理部１３とを具備することを要旨とする。
【００４１】
かかる構成によれば、無線基地局ｅＮＢが、通信事業者に報告すべきＣＡを行っている「Ｉｍｍｅｄｉａｔｅ  ＭＤＴ」の対象移動局ＵＥのスループットについて、ＣＡを行っていない「Ｉｍｍｅｄｉａｔｅ  ＭＤＴ」の対象移動局ＵＥのスループットと区別して管理することができる。
【００４２】
本実施形態の第１の特徴において、管理部１３は、上述のＣＡに係る状態として、Ｓｃｅｌｌ（セカンダリセル）の追加又は削除を行った際のログ情報を管理するように構成されていてもよい。
【００４３】
かかる構成によれば、無線基地局ｅＮＢが、「Ｉｍｍｅｄｉａｔｅ  ＭＤＴ」の対象移動局ＵＥにおいてＳｃｅｌｌが設定されているか否かについて管理することができる。
【００４４】
本実施形態の第１の特徴において、管理部１３は、上述のＣＡに係る状態として、Ｓｃｅｌｌのアクティブ化又は非アクティブ化を行った際のログ情報を管理するように構成されていてもよい。
【００４５】
かかる構成によれば、無線基地局ｅＮＢが、「Ｉｍｍｅｄｉａｔｅ  ＭＤＴ」の対象移動局ＵＥにおいて設定されているＳｃｅｌｌがアクティブ化されているか否かについて管理することができる。
【００４６】
本実施形態の第１の特徴において、無線基地局ｅＮＢは、ＴＣＥ（所定サーバ）に対して、「Ｉｍｍｅｄｉａｔｅ  ＭＤＴ」の対象移動局ＵＥから取得した「Ｅｖｅｎｔ-Ａ１〜Ａ６/Ｂ１/Ｂ２（イベント情報）」及び「ＲＳＲＱ/ＲＳＲＰ（無線品質）」と共に、管理部１３によって管理されている「Ｉｍｍｅｄｉａｔｅ  ＭＤＴ」の対象移動局ＵＥのスループット及び「Ｉｍｍｅｄｉａｔｅ  ＭＤＴ」の対象移動局ＵＥのＣＡに係る状態を送信するように構成されている送信部１４を具備していてもよい。
【００４７】
かかる構成によれば、通信事業者が、無線基地局ｅＮＢからＴＣＥに報告された情報に基づいて、「Ｉｍｍｅｄｉａｔｅ  ＭＤＴ」の対象移動局ＵＥのスループットを確認することができる。
【００４８】
本実施形態の第１の特徴において、送信部１４は、ＴＣＥに対して、「Ｉｍｍｅｄｉａｔｅ  ＭＤＴ」の対象移動局ＵＥの位置情報を更に送信するように構成されていてもよい。
【００４９】
かかる構成によれば、通信事業者が、「Ｉｍｍｅｄｉａｔｅ  ＭＤＴ」の対象移動局ＵＥの位置情報についても併せて確認することができる。
【００５０】
なお、上述の移動局ＵＥや無線基地局ｅＮＢやＴＣＥの動作は、ハードウェアによって実施されてもよいし、プロセッサによって実行されるソフトウェアモジュールによって実施されてもよいし、両者の組み合わせによって実施されてもよい。
【００５１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢやＴＣＥ内に設けられていてもよい。また、かかる記憶媒体及びプロセッサは、ディスクリートコンポーネントとして移動局ＵＥや無線基地局ｅＮＢやＴＣＥ内に設けられていてもよい。
【００５３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５４】
ＵＥ…移動局
ｅＮＢ…無線基地局
１１…受信部
１２…測定部
１３…管理部
１４…送信部
【図１】
2014135597.tif 000003
【図２】
2014135597.tif 000004
【図３】
2014135597.tif 000005
【図４】
2014135597.tif 000006